(57)【要約】【課題】限定販売商品を精算対象に登録する機能のユーザビリティを向上させる。【解決手段】情報処理装置は、取引に含まれる商品の中の精算対象へ登録予定の限定販売商品の商品コード及び個数を取得する取得部と、取引情報格納部を参照することにより限定販売商品の登録個数の合計を算出する登録個数取得部と、限定販売商品の限定数を取得する限定数取得部と、登録予定の限定販売商品の個数と登録個数の合計値との合算値が限定数を超えるか判定する判定部と、限定数を超えると判定された場合に登録予定の限定販売商で限定数を超えた分の登録仕様を入力させる画面を表示させる表示処理部と、画面から限定数を超えた分を通常価格で登録する指示が入力された場合、取引に含まれる登録予定の限定販売商品と同一の商品コードを持つ残りの商品を精算対象に登録する際に画面を以後表示させないように制御する制御部とを有する。【選択図】図３
2014038472.tif 000002
【特許請求の範囲】
【請求項１】
取引に含まれる商品の中の精算対象へ登録される予定の限定販売商品の商品コードと、当該限定販売商品の個数とを取得する取得部と、
前記取引に含まれる商品の中の既に精算対象に登録された各商品の商品コードと、各商品の登録個数とを含む取引情報を格納する取引情報格納部を参照することにより、前記登録予定の限定販売商品の商品コードと同一の商品コードに関する前記登録個数の合計を算出する登録個数取得部と、
前記登録予定の限定販売商品に限定販売価格を適用する販売数量の上限を示す限定数を取得する限定数取得部と、
前記取得部により取得される前記登録予定の限定販売商品の個数と、前記登録個数取得部により算出される登録個数の合計値との合算値が、前記限定数取得部により取得された限定数を超えているか否かを判定する判定部と、
前記判定部により前記合算値が前記限定数を超えていると判定された場合に、前記登録予定の限定販売商品における前記限定数を超えた分に関する精算対象への登録仕様を入力させる画面を表示部に表示させる表示処理部と、
前記画面に対する入力が、前記限定数を超えた分を通常価格で登録する指示を示している場合、前記取引に含まれる、前記登録予定の限定販売商品と同一の商品コードを持つ残りの商品を、精算対象に登録する際に、前記画面を以後表示させないように制御する制御部と、
を有する情報処理装置。
【請求項２】
前記表示処理部は、前記限定数より大きく、かつ、前記登録個数取得部により算出される登録個数の合計値に前記取得部により取得される前記登録予定の限定販売商品の個数を加算した値以下の範囲内の数に相当する回数分、前記画面を前記表示部に表示させようとし、
前記制御部は、前記回数分、前記画面が表示されるまでに、前記限定数を超えた分を通常価格で登録する指示を示す前記画面に対する入力を受けた場合に、当該入力を受けた以降、前記画面を表示させないように制御する、
請求項１に記載の情報処理装置。
【請求項３】
前記表示処理部は、前記限定販売商品が限定販売価格で精算対象に登録された際、前記限定販売商品の商品コードに対応する限定販売の情報を前記表示部に表示させる、
請求項１又は２に記載の情報処理装置。
【請求項４】
情報処理装置が、
取引に含まれる商品の中の精算対象へ登録される予定の限定販売商品の商品コードと、当該限定販売商品の個数とを取得し、
前記取引に含まれる商品の中の既に精算対象に登録された各商品の商品コードと、各商品の登録個数とを含む取引情報を格納する取引情報格納部を参照することにより、前記登録予定の限定販売商品の商品コードと同一の商品コードに関する前記登録個数の合計を算出し、
前記登録予定の限定販売商品に限定販売価格を適用する販売数量の上限を示す限定数を取得し、
前記取得される前記登録予定の限定販売商品の個数と、前記算出される登録個数の合計値との合算値が、前記取得された限定数を超えているか否かを判定し、
前記合算値が前記限定数を超えていると判定された場合に、前記登録予定の限定販売商品における前記限定数を超えた分に関する精算対象への登録仕様を入力させる画面を表示部に表示させ、
前記画面に対する入力が、前記限定数を超えた分を通常価格で登録する指示を示している場合、前記取引に含まれる、前記登録予定の限定販売商品と同一の商品コードを持つ残りの商品を、精算対象に登録する際に、前記画面を以後表示させないように制御する、
ことを含む値引登録方法。
【請求項５】
前記情報処理装置が、
前記限定数より大きく、かつ、前記算出される登録個数の合計値に前記取得される前記登録予定の限定販売商品の個数を加算した値以下の範囲内の数に相当する回数分、前記画面を前記表示部に表示させようとし、
前記回数分、前記画面が表示されるまでに、前記限定数を超えた分を通常価格で登録する指示を示す前記画面に対する入力を受けた場合に、当該入力を受けた以降、前記画面を表示させないように制御する、
ことを含む請求項４に記載の値引登録方法。
【請求項６】
前記情報処理装置が、
前記限定販売商品が限定販売価格で精算対象に登録された際、前記限定販売商品の商品コードに対応する限定販売の情報を前記表示部に表示させる、
ことを含む請求項４又は５に記載の値引登録方法。
【請求項７】
情報処理装置に
取引に含まれる商品の中の精算対象へ登録される予定の限定販売商品の商品コードと、当該限定販売商品の個数とを取得する取得部と、
前記取引に含まれる商品の中の既に精算対象に登録された各商品の商品コードと、各商品の登録個数とを含む取引情報を格納する取引情報格納部を参照することにより、前記登録予定の限定販売商品の商品コードと同一の商品コードに関する前記登録個数の合計を算出する登録個数取得部と、
前記登録予定の限定販売商品に限定販売価格を適用する販売数量の上限を示す限定数を取得する限定数取得部と、
前記取得部により取得される前記登録予定の限定販売商品の個数と、前記登録個数取得部により算出される登録個数の合計値との合算値が、前記限定数取得部により取得された限定数を超えているか否かを判定する判定部と、
前記判定部により前記合算値が前記限定数を超えていると判定された場合に、前記登録予定の限定販売商品における前記限定数を超えた分に関する精算対象への登録仕様を入力させる画面を表示部に表示させる表示処理部と、
前記画面に対する入力が、前記限定数を超えた分を通常価格で登録する指示を示している場合、前記取引に含まれる、前記登録予定の限定販売商品と同一の商品コードを持つ残りの商品を、精算対象に登録する際に、前記画面を以後表示させないように制御する制御部と、
を実現させるプログラム。
【発明の詳細な説明】
【技術分野】
【０００１】
本発明は、ＰＯＳ（Point Of Sale）システムで利用される情報処理装置、値引登録方法、及びそのプログラムに関する。
【背景技術】
【０００２】
スーパーマーケット、百貨店、コンビニエンスストア等の小売店において、ある商品が「お一人様○○個まで××円」というように、一定個数に限り値引された価格で販売（限定販売という）されることがある。このような場合、ＰＯＳシステムは、この限定販売が適用される商品（限定販売商品）の個数を管理して、限定販売商品と通常価格の商品とを区別する必要がある。
【０００３】
下記特許文献１には、お客様人数と、１人あたりの限定販売が適用される商品の個数とから、限定販売が適用される商品の総数を算出し、その総数以上の限定販売が適用される商品が登録された場合は、総数を超えた分の商品をどのように登録するかを決定するポップアップ画面を表示し、レジ担当者の入力に基づいて総数を超えた分の商品を限定販売価格で登録するか通常価格で登録するか決定する手法が提案されている。
【先行技術文献】
【特許文献】
【０００４】
【特許文献１】特開２０１１−１３８４５号公報
【発明の概要】
【発明が解決しようとする課題】
【０００５】
しかし、上述した特許文献に記載されている手法では、限定販売が適用される総数を超えた分の商品をどのように登録するか、ポップアップ画面により一度決定しても、買物かごの中で見落としていた等により商品をさらに登録する場合、再度ポップアップ画面が表示され、レジ担当者はこの画面において、その商品についてまた、どのように登録するか決定しなければならない。すなわち、上述した特許文献に記載されている手法では、ユーザが、限定販売商品に関して一度通常価格で精算対象に登録する意思を示しても、再度通常価格で精算対象に登録する旨のユーザの入力が必要となる場合があり、ユーザビリティが低下する恐れがある。また、このような状況を発生させないためには、レジ担当者は、買物かごの中から限定販売商品を全て確認してまとめて登録しなければならない。このように、上述した特許文献に記載されている手法では、限定販売商品の登録に関する機能についてのユーザビリティが低下する可能性がある。
【０００６】
本発明は、このような事情に鑑みてなされたものであり、限定販売商品を精算対象に登録する機能のユーザビリティを向上させる技術を提供する。
【課題を解決するための手段】
【０００７】
本発明の各態様では、上述した課題を解決するために、それぞれ以下の構成を採用する。
【０００８】
第１の態様は、情報処理装置に関する。第１態様に係る情報処理装置は、取引に含まれる商品の中の精算対象へ登録される予定の限定販売商品の商品コードと、当該限定販売商品の個数とを取得する取得部と、取引に含まれる商品の中の既に精算対象に登録された各商品の商品コードと、各商品の登録個数とを含む取引情報を格納する取引情報格納部を参照することにより、登録予定の限定販売商品の商品コードと同一の商品コードに関する登録個数の合計を算出する登録個数取得部と、登録予定の限定販売商品に限定販売価格を適用する販売数量の上限を示す限定数を取得する限定数取得部と、取得部により取得される登録予定の限定販売商品の個数と、登録個数取得部により算出される登録個数の合計値との合算値が、限定数取得部により取得された限定数を超えているか否かを判定する判定部と、判定部により合算値が限定数を超えていると判定された場合に、登録予定の限定販売商品における限定数を超えた分に関する精算対象への登録仕様を入力させる画面を表示部に表示させる表示処理部と、画面に対する入力が、限定数を超えた分を通常価格で登録する指示を示している場合、取引に含まれる、登録予定の限定販売商品と同一の商品コードを持つ残りの商品を、精算対象に登録する際に、画面を以後表示させないように制御する制御部と、を有する。
【０００９】
第２の態様は、情報処理装置により実行される値引登録方法に関する。第２態様に係る値引登録方法は、取引に含まれる商品の中の精算対象へ登録される予定の限定販売商品の商品コードと、当該限定販売商品の個数とを取得し、取引に含まれる商品の中の既に精算対象に登録された各商品の商品コードと、各商品の登録個数とを含む取引情報を格納する取引情報格納部を参照することにより、登録予定の限定販売商品の商品コードと同一の商品コードに関する登録個数の合計を算出し、登録予定の限定販売商品に限定販売価格を適用する販売数量の上限を示す限定数を取得し、取得される登録予定の限定販売商品の個数と、算出される登録個数の合計値との合算値が、取得された限定数を超えているか否かを判定し、合算値が限定数を超えていると判定された場合に、登録予定の限定販売商品における限定数を超えた分に関する精算対象への登録仕様を入力させる画面を表示部に表示させ、画面に対する入力が、限定数を超えた分を通常価格で登録する指示を示している場合、取引に含まれる、登録予定の限定販売商品と同一の商品コードを持つ残りの商品を、精算対象に登録する際に、画面を以後表示させないように制御することを含む。
【００１０】
なお、本発明の他の態様としては、上記の態様の構成を少なくとも１つの情報処理装置に実現させるプログラムであってもよいし、このようなプログラムを記録したコンピュータが読み取り可能な記録媒体であってもよい。この記録媒体は、非一時的な有形の媒体を含む。
【発明の効果】
【００１１】
上記各態様によれば、限定販売商品を精算対象に登録する機能のユーザビリティを向上させることができる。
【図面の簡単な説明】
【００１２】
【図１】第１実施形態におけるＰＯＳレジスタ装置のハードウェア構成例を概念的に示す図である。
【図２】第１実施形態におけるＰＯＳレジスタ装置の一部の処理構成例を概念的に示す図である。
【図３】第１実施形態におけるＰＯＳレジスタ装置１の一部の処理構成例を概念的に示す図である。
【図４】取引情報格納部が格納する情報の例を示す図である。
【図５】限定販売情報格納部が格納する情報の例を示す図である。
【図６】表示処理部が表示部に表示させる画面の例を示す図である。
【図７】第１実施形態におけるＰＯＳレジスタ装置１の処理の流れを示すフローチャートである。
【図８】限定販売の対象商品が精算対象に登録された際に、その対象商品に関する限定販売情報を画面に表示させる例を示す図である。
【図９】変形例におけるＰＯＳシステムの構成例を概念的に示す図である。
【発明を実施するための形態】
【００１３】
以下、本発明の実施の形態について説明する。なお、以下に挙げる各実施形態はそれぞれ例示であり、本発明は以下の各実施形態の構成に限定されない。
【００１４】
［第１実施形態］
〔装置構成〕
図１は、第１実施形態におけるＰＯＳレジスタ装置の外観の構成例を示す図である。図１に示されるように、第１実施形態におけるＰＯＳレジスタ装置１は、チェッカ装置１０及びキャッシャ装置２０から構成される。ＰＯＳレジスタ装置１、チェッカ装置１０及びキャッシャ装置２０はＰＯＳ端末と呼ぶこともできる。
【００１５】
チェッカ装置１０は、商品を精算対象に登録し、精算対象商品の情報をキャッシャ装置２０に送る。チェッカ装置１０は、キーボード１１、タッチパネルユニット１２、スキャナ装置１３、買物客用のディスプレイ１５等を有する。買物客用のディスプレイ１５には、精算対象に登録された商品の売価情報等が表示される。
【００１６】
タッチパネルユニット１２は、表示部１２ａ、ユーザ操作を受け付けるタッチパネル１２ｂ、制御部等を含む。タッチパネルユニット１２は、受信される描画データに応じた画面を表示部１２ａに表示させ、タッチパネル１２ｂへの外部からの接触を感知することによりユーザ（レジ担当者等の店員）からの入力を得る。タッチパネルユニット１２は、取得された入力情報を送出する。表示部１２ａには、精算対象に登録された商品に関する情報等が表示される。
【００１７】
スキャナ装置１３は、読取窓１４にかざされた商品の包装に付された商品識別ラベルを検出し、更に、その商品の外観を映し出す商品画像を撮像する。スキャナ装置１３は、撮像部と呼ぶこともできる。具体的には、スキャナ装置１３は、商品からの光を読取窓１４を介してＣＣＤ（Charge Coupled Device）等の撮像素子上に光学像として結像させ、その像に対応する電気信号からその商品の画像データを取得する。スキャナ装置１３は、撮像素子により撮像された商品画像から商品識別ラベルを検出してもよい。この場合には、スキャナ装置１３は、商品画像の撮像時と商品識別ラベルの撮像時とで、焦点距離や画角等を自動調整する機能を有する。また、スキャナ装置１３は、レーザスキャナを更に有し、このレーザスキャナを用いて商品識別ラベルを検出してもよい。
【００１８】
ここで、商品識別ラベルとは、各商品をそれぞれ特定可能とする、文字、数字、記号等から形成される商品コードがエンコードされたコードシンボルであり、一次元バーコードや二次元バーコード等で実現される。本実施形態は、商品識別ラベルから商品コードを抽出することができるのであれば、商品識別ラベルの実現形態を制限しない。スキャナ装置１３は、検出された商品識別ラベルを復号することにより、商品コードを抽出する。
【００１９】
また、商品コードとは、上述したように、各商品をそれぞれ特定可能とする、文字、数字、記号等から形成される識別データである。商品コードには、例えば、ＰＬＵ（Price Look Up）コード、Ｎｏｎ−ＰＬＵコード等が利用される。また、商品識別ラベルを用いて読み取られる商品コードには、例えば、ＪＡＮ（Japan Article Number）コードが利用される。
【００２０】
このように、チェッカ装置１０は、スキャナ装置１３を用いて商品識別ラベルから抽出される商品コード、タッチパネル１２ｂの操作により取得される商品コード、又は、キーボード１１等を用いて直接入力される商品コード（部門コードの場合もある）により該当商品を認識し、その該当商品を精算対象に登録する。
【００２１】
キャッシャ装置２０は、精算対象の商品の決済処理を行う。基本的には、精算対象は、上述のようにチェッカ装置１０で登録される。但し、精算対象が、追加的に、キャッシャ装置２０自身で登録される場合もある。この場合、キャッシャ装置２０は、ハンディスキャナ２３を用いて商品識別ラベルから抽出される商品コード、タッチパネル２２ｂの操作により取得される商品コード、又は、キーボード２１等を用いて直接入力される商品コード（部門コードの場合もある）により該当商品を認識し、その該当商品を精算対象に追加登録する。
【００２２】
キャッシャ装置２０は、キーボード２１、タッチパネルユニット２２、ハンディスキャナ２３、買物客用のディスプレイ２５、キャッシュドロア２７等を有する。キャッシュドロア２７は、紙幣、硬貨、金券等、商品の決済で扱われる金銭を収納する。
【００２３】
タッチパネルユニット２２の構成は、上述のタッチパネルユニット１２と同様であり、タッチパネルユニット２２には、表示部２２ａ、タッチパネル２２ｂ等が含まれる。表示部２２ａには、精算対象に登録された商品の決済処理に係る画面等が表示される。買物客用のディスプレイ２５には、合計金額、釣り銭金額等が表示される。
【００２４】
ハンディスキャナ２３は、上述のスキャナ装置１３と同様に、商品の包装に付された商品識別ラベルを読み取り、更に、その商品の外観を映し出す商品画像を撮像する。ハンディスキャナ２３は、撮像部と呼ぶこともできる。ハンディスキャナ２３は、上述のスキャナ装置１３と同様の構成を有すればよいため、ここでは説明を省略する。
【００２５】
図２は、第１実施形態におけるＰＯＳレジスタ装置１のハードウェア構成例を概念的に示す図である。図２に示されるように、チェッカ装置１０は、ＣＰＵ（Central Processing Unit）２、メモリ３、通信装置４、表示処理装置５、入出力インタフェース（Ｉ／Ｆ）６等を有する。これら各ユニットは、例えば、バス７に接続される。メモリ３は、ＲＡＭ（Random Access Memory）、ＲＯＭ（Read Only Memory）、ハードディスク、可搬型記憶媒体等である。通信装置４は、無線又は有線にて、他の装置（キャッシャ装置２０等）と通信を行う。
【００２６】
表示処理装置５には表示装置が接続されており、表示処理装置５は、ＣＰＵ２により実行される処理に応じて任意の画面を表示させるための画面表示信号を表示装置に送る。チェッカ装置１０は、表示装置として、買物客用のディスプレイ１５、タッチパネルユニット１２の表示部１２ａを有する。
【００２７】
入出力Ｉ／Ｆ６には入出力装置が接続されており、入出力Ｉ／Ｆ６は、ＣＰＵ２により実行される処理に応じて出力装置に音声等を出力し、入力装置からの入力信号を受け付ける。チェッカ装置１０は、入出力装置として、キーボード１１、タッチパネルユニット１２のタッチパネル１２ｂ、スキャナ装置１３を有する。
【００２８】
キャッシャ装置２０は、チェッカ装置１０と同様に、ＣＰＵ２、メモリ３、通信装置４、表示処理装置５、入出力Ｉ／Ｆ６等を有する。キャッシャ装置２０は、表示装置として、買物客用のディスプレイ２５、タッチパネルユニット２２の表示部２２ａを有する。キャッシャ装置２０は、入出力装置として、キーボード２１、タッチパネルユニット２２のタッチパネル２２ｂ、ハンディスキャナ２３を有する。
【００２９】
なお、本実施形態は、上述のような、チェッカ装置１０及びキャッシャ装置２０のハードウェア構成を制限しない。例えば、キーボード１１及び２１は、ソフトウェアキーボードで代替されてもよい。また、買物客用のディスプレイ１５及び２５は、１つに統合されてもよいし、タッチパネルユニット１２の表示部１２ａ及びタッチパネルユニット２２の表示部２２ａと同等の内容を表示するディスプレイであってもよい。
【００３０】
〔処理構成〕
図３は、第１実施形態におけるＰＯＳレジスタ装置１の一部の処理構成例を概念的に示す図である。また、図３には、値引登録に関する構成のみが示されているため、チェッカ装置１０及びキャッシャ装置２０は、図示される各処理部以外の多数の処理部を有する。
【００３１】
〈キャッシャ装置〉
キャッシャ装置２０は、取得部２０１、登録個数取得部２０２、取引情報格納部２０３、限定数取得部２０４、限定販売情報格納部２０５、判定部２０６、表示処理部２０７、制御部２０８、及び通信処理部２０９等を有する。これら各処理部は、例えば、ＣＰＵ２によりメモリ３に格納されるプログラムが実行されることにより実現される。また、当該プログラムは、例えば、ＣＤ（Compact Disc）、メモリカード等のような可搬型記録媒体や他の装置からインストールされ、メモリ３に格納されてもよい。
【００３２】
取得部２０１は、取引に含まれる商品の中で、精算対象へ登録される予定の限定販売商品の商品コードである限定販売商品コードと、当該登録予定の限定販売商品の個数とを取得する。具体的には、取得部２０１は、その限定販売商品に付されたバーコード等の商品識別ラベルをハンディスキャナ等の入出力装置２３で読み取ることにより、限定販売商品コードを取得する。また、取得部２０１は、精算対象に登録する商品を選ぶための商品リストが表示された画面（不図示）において、タッチパネル等の操作により対象の商品を選択して、この限定販売商品コードを取得することもできる。また、取得部２０１は、例えばキーボードやタッチパネル等から入力された数値を、限定販売商品の個数として取得することができる。
【００３３】
取引情報格納部２０３は、当該取引に含まれる商品の中で、既に精算対象に登録された各商品の商品コードと、各商品の数量とを含む取引情報を格納する。図４は、取引情報格納部２０３が格納する情報の例を示す図である。また、取引情報格納部２０３は、ＰＯＳレジスタ装置１と通信可能に接続される外部装置（不図示）が有していてもよい。この場合、ＰＯＳレジスタ装置１は、取得部２０１で取得された登録予定の限定販売商品の限定販売商品コードを外部装置へ送信することにより、その限定販売商品コードから特定される商品の情報を、外部装置の取引情報格納部２０３から取得することができる。
【００３４】
登録個数取得部２０２は、取引情報格納部２０３から、当該取引に含まれる商品の中で、取得部２０１で取得された限定販売商品コードと同一の商品コードを有する商品で、かつ、既に精算対象に登録されている商品の個数（登録個数）を取得する。具体的には、登録個数取得部２０２は、取得部２０１で取得された限定販売商品コードに基づき、取引情報格納部２０３から、その限定販売商品コードと同一の商品コードを有する商品に対応する情報を取引情報の中から特定する。そして、登録個数取得部２０２は、特定された情報に含まれる商品の数量の合計を、登録個数として取得する。
【００３５】
限定販売情報格納部２０５は、上述したように、値引の一種である限定販売に関する情報（限定販売情報）を格納する。ここで、限定販売情報とは、限定販売が適用される商品を特定可能な商品コードと、限定販売価格と、限定数と含む情報である。限定販売価格とは、ある商品に限定販売が適用された場合におけるその商品の値引後の価格を示す。限定数とは、限定販売価格を適用する販売数量の上限を示す。図５は、限定販売情報格納部２０５が格納する情報の例を示す図である。図５に示すように、限定数は、例えば、「お一人様３個まで」等と定められる。
【００３６】
限定数取得部２０４は、限定販売情報格納部２０５に格納された各限定販売情報の中から、取得部２０１で取得された限定販売商品コードと同一の商品コードを有する商品に関する限定数を取得する。具体的には、限定数取得部２０４は、取得部２０１で取得された限定販売商品コードに基づき、限定販売情報格納部２０５に格納された各限定販売情報の中から、その限定販売商品コードに対応する限定販売情報を特定する。そして、限定数取得部２０４は、特定された限定販売情報に含まれる限定数を取得する。
【００３７】
判定部２０６は、取得部２０１で取得された登録予定の限定販売商品の個数と、登録個数取得部２０２で取得された登録個数との合算値が、限定数取得部２０４で取得された限定数を超えているか否かを判定する。また、判定部２０６は、判定の結果を表示処理部２０７へ送信する。
【００３８】
表示処理部２０７は、限定販売商品の個数と登録数の合計が限定数を超えていると、判定部２０６により判定された場合、限定数を超えた分の登録予定の限定販売商品に関する精算対象への登録仕様を入力させる画面を表示装置等の表示部に表示させる。ここで、登録仕様とは、例えば、ある商品を限定販売価格として精算対象に登録するか又は通常価格として精算対象に登録するか等を示す情報である。また、表示処理部２０７は、表示された画面においてユーザからの入力を受け付け、その入力を制御部２０８へ送信する。
【００３９】
図６は、表示処理部２０７が表示部に表示させる画面の例を示す図である。図６の画面は、限定数を超える旨と登録仕様の入力指示を促すメッセージを表示する領域であるメッセージ領域６０と、ユーザからの入力をＰＯＳレジスタ装置１に送信するボタン６１及び６２等を備える。図６では、ボタン６１は「登録予定の限定販売商品を通常価格で登録する」旨の指示を、ユーザからの入力として送信する。また、ボタン６２は「登録予定の限定販売商品を限定価格で登録する」旨の指示を、ユーザからの入力として送信する。ここで、例えば、買物客が２人組で来店したような場合、２人分の限定数まで限定販売価格が適用され得る。このため、上述したように、限定販売情報格納部２０５に格納される限定数を超えた分の登録予定の限定販売商品の登録仕様を確認することが必要となる。なお、この画面は一例であり、様々な形態をとり得る。例えば、ボタン６１及び６２に付される文言は、それぞれ「限定価格」、「通常価格」としてもよいし、さらに「限定数を超えた分は精算対象に登録せずにキャンセルする」といった上記以外の指示を、ユーザからの入力として送信するボタンを追加する等してもよい。
【００４０】
制御部２０８は、表示処理部２０７から送信されたユーザによる指示に基づき、その取引における以後のレジ業務において、取得部２０１で取得された限定販売商品コードと同一の商品コードにより特定される商品であり、その取引に含まれる残りの商品を精算対象に登録する際に、表示処理部２０７において上記の画面を再度表示するか否かを制御する。具体的には、制御部２０８は、上記の画面に対するユーザによる入力が「限定数を超えた分の対象商品を通常価格で登録する」旨の指示を示している場合、以後、上記画面を表示させないように制御する。制御部２０８は、例えば、限定数を超えていても画面を表示しないことを示す非表示フラグの設定を切り替えることで画面の表示／非表示を制御してもよいし、取引情報格納部２０３の中に通常価格の対象商品が既に登録されているかどうかによって画面の表示／非表示を制御してもよい。ここで、制御部２０８は、例えば、非表示フラグの設定状態といった情報に基づいて、判定部２０６に判定処理を実行させないようにする、表示処理部２０７に画面の表示処理を実行させないようにする、或いは、取得部２０１で取得された限定販売商品コードに対応する限定販売情報に含まれる限定数を一時的にＰＯＳレジスタ装置１で取り得る最大値に書き換える等により、画面の表示／非表示を制御することができる。
【００４１】
通信処理部２０９は、キャッシャ装置２０とチェッカ装置１０との間の通信を制御する。具体的には、通信処理部２０９は、チェッカ装置１０からの要求に応じて、チェッカ装置１０の取得部１０１で取得された限定販売商品コードを用い、取引情報格納部２０３及び限定販売情報格納部２０５に格納される情報をチェッカ装置１０に送信する。
【００４２】
〈チェッカ装置〉
チェッカ装置１０は、図３に示されるように、取得部１０１、通信処理部１０２、判定部１０３、表示処理部１０４、制御部１０５等を有する。これら各処理部は、例えば、ＣＰＵ２によりメモリ３に格納されるプログラムが実行されることにより実現される。また、当該プログラムは、例えば、ＣＤ（Compact Disc）、メモリカード等のような可搬型記録媒体や他の装置からインストールされ、メモリ３に格納されてもよい。
【００４３】
図３の例では、チェッカ装置１０は、取引情報格納部２０３及び限定販売情報格納部２０５を有していないため、上述したように、取得部１０１で取得された限定販売商品コードを、通信処理部１０２が通信処理部２０９と通信してキャッシャ装置２０に送信し、キャッシャ装置２０から取引情報格納部２０３及び限定販売情報格納部２０５に格納される情報を取得する。すなわち、通信処理部１０２は、キャッシャ装置２０の登録個数取得部２０２及び限定数取得部２０４と同様の処理を行い、限定販売商品に関する登録個数及び限定数を取得する。
【００４４】
判定部１０３、表示処理部１０４、及び制御部１０５は、基本的には、上述した判定部２０６、表示処理部２０７及び制御部２０８と同様の処理を行う。そのため、これらの処理部についての説明は省略する。
【００４５】
〔動作例〕
以下、第１実施形態における値引登録方法について図７を用いて説明する。図７は、第１実施形態におけるＰＯＳレジスタ装置１の処理の流れを示すフローチャートである。
【００４６】
まず、ＰＯＳレジスタ装置１は、精算対象に登録予定の限定販売商品に関する限定販売商品コード及び限定販売商品の個数を取得する（Ｓ７０）。ＰＯＳレジスタ装置１は、上述したように、スキャナ装置１３、ハンディスキャナ２３又はタッチパネル１２ｂ、２２ｂにより、限定販売商品コードを取得する。また、ＰＯＳレジスタ装置１は、キーボード１１、２１又はタッチパネル１２ｂ、２２ｂの入力により、限定販売商品の個数を取得する。
【００４７】
そして、ＰＯＳレジスタ装置１は、工程（Ｓ７０）で取得された限定販売商品コードと同一の商品コードを有する商品の登録個数を取得する（Ｓ７１）。具体的には、ＰＯＳレジスタ装置１は、工程（Ｓ７０）で取得された限定販売商品コードに基づき、取引情報格納部２０３に格納された取引情報の中から、その限定販売商品コードと同一の商品コードを有する商品に対応する情報を特定する。そして、ＰＯＳレジスタ装置１は、特定された情報に含まれる数量の合計値を算出し、その限定販売商品コードに対応する商品の登録個数として取得する。
【００４８】
また、ＰＯＳレジスタ装置１は、工程（Ｓ７０）で取得された限定販売商品コードと同一の商品コードを有する商品に関する限定数を取得する（Ｓ７２）。具体的には、ＰＯＳレジスタ装置１は、工程（Ｓ７０）で取得された限定販売商品コードに基づき、限定販売情報格納部２０５に格納された各限定販売情報の中から、その限定販売商品コードに対応する限定販売情報を特定する。そして、ＰＯＳレジスタ装置１は、特定された限定販売情報から、その限定販売商品コードに対応する商品に関する限定数を取得する。
【００４９】
ＰＯＳレジスタ装置１は、工程（Ｓ７０）で取得された限定販売商品の個数と工程（Ｓ７１）で取得された登録個数の合算値が、工程（Ｓ７２）で取得された限定数を超えているか否かを判定する（Ｓ７３）。限定販売商品の個数と登録個数との合算値が限定数を超えていない場合は（Ｓ７３；ＮＯ）、ＰＯＳレジスタ装置１は今回精算対象に登録する予定の限定販売商品を全て限定販売価格で登録すればよいと判断できるため、以降の処理を行なわず、限定販売価格で登録予定の全ての限定販売商品を精算対象に登録する。
【００５０】
一方、限定販売商品の個数と登録数との合算値が限定数を超えている場合は（Ｓ７３；ＹＥＳ）、ＰＯＳレジスタ装置１は非表示フラグがＯＮ状態か否かを判定する（Ｓ７４）。非表示フラグがＯＮ状態である場合は（Ｓ７４；ＹＥＳ）、ＰＯＳレジスタ装置１は、その限定販売商品は、限定数を超えた分に関して通常価格で登録する指示を既に受けていると判断できるため、以降の処理は行わず、通常価格で限定販売商品を精算対象に登録する。
【００５１】
一方、非表示フラグがＯＦＦ状態である場合は（Ｓ７４；ＮＯ）、ＰＯＳレジスタ装置１は、図６に示すような、ユーザからの入力を受け付ける画面を表示する（Ｓ７５）。そして、ＰＯＳレジスタ装置１は、工程（Ｓ７５）で表示された画面に対するユーザからの入力を取得する（Ｓ７６）。ＰＯＳレジスタ装置１は、工程（Ｓ７６）で取得されたユーザからの入力が、「登録予定の限定販売商品を通常価格で登録する」旨の指示であるか否かを判定する（Ｓ７７）。ユーザからの入力が、「登録予定の限定販売商品を通常価格で登録する」旨の指示である場合は（Ｓ７７；ＹＥＳ）、ＰＯＳレジスタ装置１は非表示フラグをＯＮ状態とし（Ｓ７８）、限定数を超えた分の登録予定の限定販売商品のうち、ユーザから限定価格で登録する指示を入力された分を除いた残りの限定販売商品に関しては、通常価格で精算対象に登録する。また、ＰＯＳレジスタ装置１は、ユーザから限定価格で登録する指示を入力された限定販売商品に関しては、限定価格で精算対象に登録する。例えば、限定数を超えた限定販売商品が３つ存在し、工程（Ｓ７６）において、１つ目に対して限定価格で登録する指示が入力され、２つ目に対して通常価格で登録する指示が入力されたと仮定する。この場合、ＰＯＳレジスタ装置１は、限定数を超えた限定販売商品のうち、１つ目の限定販売商品に関しては限定価格で精算対象に登録し、２つ目及び３つ目の限定販売商品に関しては通常価格で精算対象に登録する。
【００５２】
一方、ユーザからの入力が、「登録予定の限定販売商品を通常価格で登録する」旨の指示でない場合は（Ｓ７７；ＮＯ）、限定数を超えた分の限定販売商品の全てについて、登録仕様が確定したか否かを判定する（Ｓ７９）。限定数を超えた分の限定販売商品の登録仕様が全て確定していない場合は（Ｓ７９；ＮＯ）、未確定状態の限定販売商品に対して、工程（Ｓ７５）から工程（Ｓ７７）の処理を繰り返し実行する。すなわち、本実施形態において、ＰＯＳレジスタ装置１は、通常価格で登録する旨の指示があるまで、ユーザからの入力を受け付ける画面を繰り返し表示し、限定数を超えた分の登録予定の各限定販売商品の登録仕様をそれぞれ確定する。一方、限定数を超えた分の限定販売商品の登録仕様を全て確定した場合は（Ｓ７９；ＹＥＳ）、処理を終了する。
【００５３】
なお、図７では、非表示フラグを用いて画面の表示／非表示を制御する場合を例に説明したが、上述したように、取引情報格納部２０３の中に通常価格の対象商品が既に登録されているかどうかによって画面の表示／非表示を制御してもよい。この場合、ＰＯＳレジスタ装置１は、工程（Ｓ７４）において、取引情報格納部２０３の中に通常価格の限定販売商品が存在するか否かを確認する処理を行えばよい。
【００５４】
また、ＰＯＳレジスタ装置１は、限定販売商品を限定販売価格で精算対象に登録した場合、図８に示すように、工程（Ｓ７２）で特定された限定販売情報に含まれる情報を表示部に表示させるようにしてもよい。このように、限定数や限定販売価格等、限定販売が適用される商品の情報を提示することにより、ユーザに対象商品の限定数を容易に把握させることができる。
【００５５】
〔第１実施形態における作用及び効果〕
第１実施形態では、ＰＯＳレジスタ装置１により取得された、登録予定の限定販売商品の限定販売商品コードを用いて、その限定販売商品コードと同一の商品コードに対応する商品の登録個数および限定数が、取引情報格納部２０３及び限定販売情報格納部２０５からそれぞれ取得される。そして、ＰＯＳレジスタ装置１により取得された限定販売商品の個数と取引情報格納部２０３から取得された登録個数との合算値が、限定販売情報格納部２０５から取得された限定数を超えているか判定される。そして、判定の結果に基づいて、例えば図６に示すような、ユーザの入力を促す画面が表示され、ユーザから入力に基づき、登録予定の限定販売商品が精算対象に登録される。そして、その画面に対するユーザからの入力に基づき、以後のレジ業務において限定販売商品コードと同一の商品コードを有する商品に関して精算対象に登録された場合、ユーザの入力を促す画面の表示／非表示が制御される。
【００５６】
このように、第１実施形態によれば、ある登録予定の限定販売商品について、ユーザが一度通常価格で登録する旨の入力をした場合、以降はユーザの入力を促す画面を表示させないように制御することが可能となる。これにより、既にユーザから入力された情報を繰り返し入力させることを省き、限定販売商品を精算対象に登録する機能のユーザビリティを向上させることができる。
【００５７】
また、第１実施形態では、ユーザから通常価格での登録指示があるまで、ユーザからの入力を受け付ける画面が繰り返し表示され、限定数を超えた分の登録予定の各限定販売商品の登録仕様がそれぞれ確定される。これにより、第１実施形態によれば、限定数を超えた分の登録予定の限定販売商品に関して、ユーザが「通常価格で精算対象に登録する」旨の入力をするまでは、限定数を超えた分の登録予定の限定販売商品を限定価格で精算対象に登録できる。よって、買物客の人数等の情報をＰＯＳレジスタ装置１に登録することなく、買物客の人数に合わせて限定販売商品を精算対象に登録することができる。
【００５８】
〔変形例〕
上述の実施形態では、ＰＯＳレジスタ装置１がチェッカ装置１０及びキャッシャ装置２０を有する例が示されたが、ＰＯＳレジスタ装置１はキャッシャ装置２０のみで構成されてもよい。また、上述の実施形態では、限定数を超えた分の登録予定の限定販売商品に関して、ユーザからの入力を受け付ける画面がチェッカ装置１０及びキャッシャ装置２０で表示可能とされたが、この画面はチェッカ装置１０及びキャッシャ装置２０のいずれか一方のみで表示可能とされてもよい。
【００５９】
また、上述の実施形態では、ＰＯＳレジスタ装置１が、通常価格で登録する旨の指示があるまで、ユーザからの入力を受け付ける画面を繰り返し表示し、限定数を超えた分の登録予定の各限定販売商品の登録仕様をそれぞれ確定する形態を示した。ここで、ＰＯＳレジスタ装置１は、ユーザからの入力を受け付ける画面を１回表示し、その画面で入力された指示を、限定数を超えた分の登録予定の限定販売商品全ての登録仕様として使用することもできる。この場合、ＰＯＳレジスタ装置１は、工程（Ｓ７７）で、ユーザからの入力が限定価格で登録する旨の指示であった場合（Ｓ７７；ＮＯ）、工程（Ｓ７９）の判定を行わずに、登録予定の限定販売商品全てを限定販売価格で精算対象に登録すればよい。
【００６０】
また、上述の実施形態におけるＰＯＳレジスタ装置１は、サーバ装置と店舗端末とを含むＰＯＳシステムとして実現されてもよい。図９は、変形例におけるＰＯＳシステム７００の構成例を概念的に示す図である。
【００６１】
ＰＯＳシステム７００は、サーバ装置７０５及び店舗側構成７１０から構成され、サーバ装置７０５と店舗側構成７１０とは、通信網７０１により通信可能に接続される。通信網７０１は、インターネット等のような公衆網、ＷＡＮ（Wide Area Network）、ＬＡＮ（Local Area Network）、無線通信ネットワーク等である。この通信網７０１の実現形態は制限されない。
【００６２】
店舗側構成７１０には、通信中継装置７１１、店舗端末７１５、スタンド７１６、ハンディスキャナ７１７、キャッシュドロア７１８、レシートプリンタ７１９等が含まれる。スタンド７１６は、店舗端末７１５と、他の機器（ハンディスキャナ７１７、キャッシュドロア７１８、レシートプリンタ７１９）とを通信可能に接続するための機器である。店舗端末７１５とスタンド７１６とは、例えば、Ｂｌｕｅｔｏｏｔｈ（登録商標）や赤外線通信等の短距離無線通信や無線ＬＡＮ等により接続される。スタンド７１６と他の機器とは各種通信線又は無線により接続される。通信中継装置７１１は、店舗端末７１５を通信網７０１に接続し、店舗端末７１５とサーバ装置７０５との間の通信を可能とする。なお、これら各ノード間の通信形態は制限されない。通信中継装置７１１は省かれ、店舗端末７１５は、通信中継装置７１１を介することなく、無線基地局等を介して３Ｇ回線等を用いて通信網７０１に接続されてもよい。
【００６３】
店舗端末７１５は、ＰＣ（Personal Computer）、ノートＰＣ、タブレット型端末、スマートフォン等のような汎用コンピュータであり、サーバ装置７０５との間でデータのやり取りをすることにより、上述のＰＯＳレジスタ装置１のユーザインタフェースを実現する。サーバ装置７０５は、一般的なサーバコンピュータであり、ＷＥＢサーバ、アプリケーションサーバ等として実現される。
【００６４】
上述の実施形態におけるＰＯＳレジスタ装置１がこのようなＰＯＳシステム７００として実現される形態では、上述の各処理部は、実現可能な限り、サーバ装置７０５及び店舗端末７１５のどちらで実現されてもよい。例えば、サーバ装置７０５と店舗端末７１５との間のインタフェースとしてＷＥＢシステムが利用される場合、上述の全処理部がサーバ装置７０５で実現され、店舗端末７１５は、単なる表示部として動作してもよい。逆に、店舗端末７１５において全処理部が実現されてもよい。また、一部の処理部がサーバ装置７０５で実現され、残りの処理部が店舗端末７１５で実現されるような形態でもよい。例えば、取引情報格納部２０３及び限定販売情報格納部２０５がサーバ装置７０５で実現され、その他の処理部が店舗端末７１５で実現されてもよい。
【００６５】
このように、本発明における情報処理装置は、複数の装置（複数のコンピュータ、複数のＣＰＵを持つ筐体）で実現されることを排除するものではなく、上述の実施形態におけるチェッカ装置及びキャッシャ装置の組み合わせで実現されてもよいし、本変形例におけるサーバ装置７０５及び店舗端末７１５の組み合わせで実現されてもよい。もちろん、本発明における情報処理装置は、上述の実施形態におけるキャッシャ装置のみで実現されてもよいし、変形例におけるサーバ装置７０５のみ又は店舗端末７１５のみで実現されてもよい。
【００６６】
また、上述の説明で用いた複数のフローチャート図では、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態及び各変形例は、内容が相反しない範囲で組み合わせることができる。
【符号の説明】
【００６７】
１  ＰＯＳレジスタ装置
２  ＣＰＵ
３  メモリ
４  通信装置
５  表示処理装置
１０  チェッカ装置
１１、２１  キーボード
１２、２２  タッチパネルユニット
１２ａ、２２ａ  表示部
１２ｂ、２２ｂ  タッチパネル
１３  スキャナ装置
１４  読取窓
１５、２５  買物客用ディスプレイ
２０  キャッシャ装置
２３、７１７  ハンディスキャナ
１０１、２０１  取得部
１０２、２０９  通信処理部
１０３、２０６  判定部
１０４、２０７  表示処理部
１０５、２０８  制御部
２０２  登録個数取得部
２０３  取引情報格納部
２０４  限定数取得部
２０５  限定販売情報格納部
７００  ＰＯＳシステム
７０５  サーバ装置
７１５  店舗端末
７１６  スタンド
７１８  キャッシュドロア
７１９  レシートプリンタ
【図１】
2014038472.tif 000003
【図２】
2014038472.tif 000004
【図３】
2014038472.tif 000005
【図４】
2014038472.tif 000006
【図５】
2014038472.tif 000007
【図６】
2014038472.tif 000008
【図７】
2014038472.tif 000009
【図８】
2014038472.tif 000010
【図９】
2014038472.tif 000011